(57)【要約】【課題】  所定の継続時間を、例えばセットアップ実行の間に、ユーザーにとって最も適した値に設定することを提供する。【解決手段】  本発明は、開始時刻（ＳＴＩ）を受信する時刻入力手段（ＵＩ）を含むタイマーを有する映像記録装置（１）に関する。タイマーは、開始時刻（ＳＴＩ）、開始時刻入力条件（ＣＭＤ１、ＣＭＤ２、ＣＭＤ３）及び所定の継続時間（ＰＤ）に基づいて終了時刻（ＥＴＣ）を計算する手段（ｕＰ）をさらに含む。【選択図】  図１
2005003683.tif 000002
【特許請求の範囲】
【請求項１】
入力開始時刻（ＳＴＩ）を受信し、
前記入力時間（ＳＴＩ）及び初期値としての所定の継続時間（ＰＤ）を考慮して終了時刻（ＥＴＣ）を計算し、
入力コマンド（ＣＭＤ１、ＣＭＤ２、ＣＭＤ３）を受信し、
前記入力コマンド（ＣＭＤ１、ＣＭＤ２、ＣＭＤ３）が終了型コマンドである場合、前記計算された終了時刻（ＥＴＣ）を終了時刻（ＥＴ）とするという工程を有するタイマーをプログラミングする方法。
【請求項２】
前記入力コマンド（ＣＭＤ２）が第２の型のコマンド（ＣＭＤ２）に属する場合には、それ以上終了時刻（ＥＴＣ）の計算を行わないという工程、
前記入力コマンド（ＣＭＤ３）が第３の型のコマンド（ＣＭＤ３）に属する場合には、前記入力コマンド（ＣＭＤ２）に応じて更新される初期値（ＳＴＩ、ＰＤ１、ＰＤ２）を使用する計算工程に戻るという工程の少なくとも１つを含むことを特徴とする、請求項１に記載の方法。
【請求項３】
前記所定の継続時間（ＰＤ）が、入力コマンド「単事象記録」が設定されている場合には第１の継続時間（ＰＤ１）であり、入力コマンド「重複事象記録」が設定されている場合には第２の継続時間（ＰＤ２）であることを特徴とする、請求項１又は請求項２に記載の方法。
【請求項４】
前記第１及び第２の継続時間（ＰＤ１、ＰＤ２）が国依存型の所定の継続時間（ＰＤ１ＣＣ、ＰＤ２ＣＣ）及びチャンネル依存型の所定の継続時間（ＰＤ１ＣＨ、ＰＤ２ＣＨ）、及びユーザー選択型の所定の継続時間及び日時又は曜日依存型の所定の継続時間のうちの１つであることを特徴とする、請求項３に記載の方法。
【請求項５】
開始時刻（ＳＴＩ）を受信する時刻入力手段（ＵＩ）、
前記開始時刻（ＳＴＩ）、開始時刻入力条件（ＣＭＤ１、ＣＭＤ２、ＣＭＤ３）及び所定の継続時間（ＰＤ）に基づいて終了時刻（ＥＴＣ）を計算する手段（ｕＰ）を含むことを特徴とする電子装置（１）のタイマー。
【請求項６】
前記所定の継続時間（ＰＤ）が、入力コマンド「単事象記録」が設定されている場合には、第１の継続時間（ＰＤ１）であり、入力コマンド「重複事象記録」が設定されている場合には、第２の継続時間（ＰＤ２）であることを特徴とする、請求項５に記載のタイマー。
【請求項７】
前記第１及び第２の継続時間（ＰＤ１、ＰＤ２）が、国依存型の所定の継続時間（ＰＤ１ＣＣ、ＰＤ２ＣＣ）、及びチャンネル依存型の所定の継続時間（ＰＤ１ＣＨ、ＰＤ２ＣＨ）、及びユーザー選択型の所定の継続時間、及び日時又は曜日依存型の所定の継続時間の１つであることを特徴とする、請求項６に記載のタイマー。
【請求項８】
請求項５から請求項７のいずれか１つに記載される又は請求項１から請求項４のいずれか１つに記載の方法を行うように提供されるタイマーを伴うビデオレコーダ。
【発明の詳細な説明】
【技術分野】
【０００１】
本発明は、映像記録装置に関し、具体的にはハードディスクレコーダ又は光ディスクレコーダのようなディスク記録装置に関する。
【背景技術】
【０００２】
特にこうした映像記録装置のタイマーをプログラミングする本発明による方法は、入力開始時刻を受信する、及び前記入力開始時刻と初期値としての所定の継続時間から終了時刻を計算する工程を含む。さらなる入力コマンドに左右され、時刻又は別のタイマーパラメータが変更される又は確定される。これは、ユーザーが終了時刻を入力する必要がなく、十中八九適した終了時刻がタイマーにより提供されるという利点を有する。所定の継続時間は、記録されるプログラムを普通に有効範囲に含むように選択される。さらなる入力コマンドは、他のパラメータを入力する又はタイムパラメータを変更する提案の確定、すなわちナビゲーションコマンドである。ある所定の時刻が経過した後にコマンドを受信しない場合、これがタイマープログラミングの確定としてとられる。
【０００３】
好ましくは、さらなる入力コマンドが第２又は第３の型のコマンドに属すると検知される。第２の型のコマンドは、ユーザーが手動で終了時刻を設定したがっている又は少なくとも現在の終了時刻が自動的に変更されることを望まないことを示すコマンドである。こうした第２の型のコマンドが受信される場合、それ以上終了時刻の計算は行われない。第３の型のコマンドは、終了時刻の新たな計算が行われることを示すコマンドである。例えば、入力時刻が変更された場合に、終了時刻の新たな計算が行われる。これらの特徴は、終了時刻が必要なところで自動的に更新されるが、ユーザーがたぶん変更に賛成しないという状況では自動更新は発生しないという利点を有する。
【発明の開示】
【発明が解決しようとする課題】
【０００４】
本発明によると、所定の継続時間は、ユーザーが「単事象」タイマーを選択するか又は「重複事象」タイマーを選択するかに左右されて変更される。これは、通常「単事象」タイマーが、映画のような長い継続時間の記録を参照し、一方で「重複事象」タイマーが通常、連続ドラマ、ドラマ、バラエティ番組などのいくつかの短い記録を参照するといった、多くの場合にユーザーに受け入れられる終了時刻を提供するという利点を有する。
【課題を解決するための手段】
【０００５】
好ましくは、本発明は、所定の継続時間を、例えばセットアップ実行の間に、ユーザーにとって最も適した値に設定することを提供する。国依存型設定では、ユーザーが装置が使用される国を入力する必要があり、及び国の表に応じて所定の継続時間が選択される。これは、所定の継続時間が、状況コメディが通常６０分かかる国では６０分に設定され、異なるタイムスキームを有する国では別の継続時間が設定されるという利点を有する。さらに好ましくは、チャンネル依存型設定が使用される。これは、所定の継続時間を、１５分のタイムスキームを有するニュースチャンネル又は９０分のタイムスキームを有する映画チャンネルなど特定のチャンネルの特定のタイムスキームに適合させるという利点を有する。チャンネル依存型の所定の継続時間はまたさらに、日時又は曜日に左右される。いくつかのチャンネルは、午前と午後に１時間のタイムスキームを有し、一方で、異なるタイムスキームが夕方又は夜に使用される。例えば、４５分のブロックに続き６０分のブロックが、それに続き２つの３０分ブロックが、それに続いて９０分ブロックが発生する。好ましくは、他のチャンネルが勤務日と週末の間のタイムスキームを変更する。ユーザーが異なる、独自のタイムスキームを好む場合、ユーザーが選択した所定の継続時間が提供される。
【０００６】
好ましくは、終了時刻計算は、他の終了時刻表示がもはや利用できない場合にのみ行われる。こうした終了時刻表示は、電子番組ガイド又はＶＰＳのような映像プログラミングシステムに由来する。ここで、また、ユーザーは終了時刻又は計算された終了時刻が導き出される又は番組ガイドに関する好みを設定することができる。
【０００７】
電子装置のタイマーは、好ましくは、開始時刻及びさらなる入力を受信する入力手段、及び開始時刻、所定の継続時間及び開始時刻入力条件に基づいて終了時刻を計算する手段を含む。開始時刻入力条件は、上述したようにセットアップ時に作られる所定の継続時間の選択又は単事象／重複事象タイミング条件及びそのようなものの選択である。こうしたタイマーを装備するビデオレコーダは、ユーザーにキーインの数が非常に少なくてすむ非常に快適なタイマープログラミングを提供する。
【０００８】
更なる利点は、好ましい実施形態の記述から引き出される。もちろん、記述された以外の特徴の異なる組み合わせもまた、本発明の範囲内である。
【発明を実施するための最良の形態】
【０００９】
図１は、本発明の映像記録装置１の概略図である。記録及び再生部分ＲＥＣは再生信号をディスプレイ２に出力する。ディスプレイ２にはまた、マイクロプロセッサｕＰにより提供されるようなタイマーメニューを表示することが提供される。マイクロプロセッサｕＰは、ユーザーインターフェースＵＩからコマンドを受け取り、開始時刻ＳＴ及び終了時刻ＥＴをメモリＭ１に移す。メモリＭ１に設定される時刻ＳＴ、ＥＴに従って、タイマーモードが選択される場合には、記録及び再生部分ＲＥＣが記録を開始する及び終了する。マイクロプロセッサはまた、所定の継続時間ＰＤを受信し、所定の継続時間ＰＤ及び入力開始時刻ＳＴＩから終了時刻ＥＴＣを計算する所定の継続時間メモリＰＤＭと接続する。記録媒体としてのディスク８が、記録及び再生部分ＲＥＣに挿入された形で示される。それはＤＶＤ又はハードディスクのようなリムーバブルディスクである。装置１にはまた、さらなるメモリ９が提供される。装置１はまたリンク３を有し、それを通じてリムーバブルメディア５用の外部リムーバブルメディアデバイス４が装置１と接続できる及び装置１から切断できる。
【００１０】
図２は、本発明のタイマープログラミング方法の例を示している。工程Ｓ０での開始の後、工程Ｓ１で基準の所定の継続時間ＰＤが所定の継続時間メモリＰＤＭに設定される。工程Ｓ２では、入力開始時刻ＳＴＩが受信される。工程Ｓ３では、計算された終了時刻ＥＴＣがＥＴＣ＝ＳＴＩ＋ＰＤとしてコンピュータ計算される。工程Ｓ４では、終了型コマンドＣＭＤ１が受信されるかどうかがチェックされる。受信される場合、計算された終了時刻ＥＴＣは工程Ｓ４１で終了時刻ＥＴとしてとられ、タイマープログラミングが終了する。さもなければ、工程Ｓ５で第２の型のコマンドＣＭＤ２が受信されるかどうかがチェックされる。こうしたコマンドが受信される場合には、工程Ｓ５１でタイマープログラミングが終了時刻ＥＴＣの更なる計算をすることなく継続される。工程Ｓ５１の後にタイマープログラムが終了したとき、終了時刻ＥＴは入力終了時刻ＥＴＩとしてとられる、又は、こうしたことが存在しない場合、最後に計算された終了時刻ＥＴＣがとられる。工程Ｓ５の条件が満足できるものではない場合、工程Ｓ６で第３の型のコマンドＣＭＤ３が受信されるかどうかがチェックされる。受信される場合、所定の時間ＰＤが、工程Ｓ６１でコマンドＣＭＤ３に応じて更新され、工程Ｓ６２で所定の継続時間メモリＰＤＭに入力される。工程Ｓ６の結果が否定である場合、つまりコマンドが受信されない又は選択に無関係のコマンドが受信される場合、工程Ｓ４に戻る。好ましくは、コマンドのない一定時間の後に所定の仕事をそのままにしておく関数が実行されるが、ここでは示されていない。
【００１１】
図３は、更新工程Ｓ６１に関するタイマープログラミング方法の詳細を示している。工程Ｓ６１１では、第３の型のコマンドが単事象記録を示しているかどうかがチェックされる。示している場合には、所定の継続時間メモリＰＤＭが工程Ｓ６１２で第１の所定の継続時間値ＰＤ１に更新される。工程Ｓ６１１で重複事象記録が検知される場合、所定の継続時間メモリＰＤＭは工程Ｓ６１３で異なる継続時間、つまり第２の所定継続時間ＰＤ２に更新される。
【００１２】
図４は、タイマープログラミングに関するセットアップ手順を示している。工程Ｓ９１でセットアップが開始された後、ユーザーの要求が検知される。工程Ｓ９２では、標準条件が要求されているかどうかがチェックされる。この場合、工程Ｓ９２で第１の所定継続時間ＰＤ１が１２０分に設定され、第２の所定継続時間ＰＤ２が６０分に設定される。工程Ｓ９３で国依存型の決定が選択されると検知した場合、工程Ｓ９３１で国情報が決定される。これは直接ユーザーの入力によるもの又はすでに存在する国情報をチェックすることによるものである。続いて、工程Ｓ９３２では第１及び第２の所定の継続時間ＰＤ１、ＰＤ２が国依存型の値ＰＤ１ＣＣ、ＰＤ２ＣＣに設定される。好ましくは、各国ＣＣに適した値を示す表が利用できる。工程Ｓ９４では、チャンネル依存型の決定が選択されるかどうかがチェックされる。この場合、所定の継続時間ＰＤ１及びＰＤ２が工程Ｓ９４１でチャンネル依存型の値ＰＤ１ＣＨ、ＰＤ２ＣＨに設定される。後者は好ましくはそれぞれの表から引き出される。工程Ｓ９５では、ユーザーが自分で継続時間を決定したがっているかどうかがチェックされ、工程Ｓ９５１で所定の継続時間ＰＤ１、ＰＤ２がユーザーから受信される。工程Ｓ９６では、所定の継続時間ＰＤ１、ＰＤ２が所定の継続時間メモリＰＤＭに保存される。
【００１３】
図５ａから図５ｅは、タイマープログラミングの間の異なる表示を示している。選択されたチャンネルはＣＨで示され、開始時刻及び終了時刻はＳＴＤ及びＥＴＤで表示され、タイマープログラミングの日付はＤ０からＤ７で示される。ここでＤ０は今日であり、Ｄ１が翌日、Ｄ２が翌々日などである。週の繰り返しはＷＲで示される。確定コマンドはオーケーボタンＯＫで示される。ａｍ／ｐｍ時刻基準が使用される国に対しては、こうした表示が与えられる。タイマー記録は次の日から４日目まで繰り返され、日付表示Ｄ１、Ｄ２、Ｄ３、Ｄ４はユーザーによって選択される。
【００１４】
さて、タイマーを設定するときに、開始時刻よりも遅いいくつかの固定継続時間である停止時刻を自動的に増やすことが記述される。通常、ユーザーが新たなタイマーを設定するとき又は既存タイマーをタイマー設定スクリーンで変更するときに、すべての可能な入力ＣＨ、ＳＴＤ、ＥＴＤが入力されねばならず、さもなければエラーメッセージが現れるという課題が生じる。初期設定による記述された実施形態によると、停止時刻ＥＴＤは開始時刻ＳＴＤより１時間遅く設定され、入力開始時刻ＳＴＩが開始時刻である。もはや開始時刻ＳＴＩが入力されない場合、現在の時刻が開始時刻ＳＴＩとされる。この新たな提案の場合、ユーザーには、１時間といった、開始時刻だけを入力することにより固定の継続時間と同じ継続時間ＰＤを用いてタイマーを設定する更に便利な方法が提供される。それは、以下の方法、ユーザーが開始時刻を完全に入力したとき、つまりＳＴＤの４つの数字を入力したとき、終了時刻ＥＴＤを開始時刻から１時間進めることにより自動的に終了時刻ＥＴＤが更新されるという方法で動作する。というのは、たいていの時間、ユーザーは１時間のタイマーを設定するからである。そのため、１時間がユーザーの望む記録時間である場合、そのユーザーは終了時刻ＥＴＩを入力する必要はない。ユーザーはまた別の４つの数字を入力することにより終了時刻ＥＴＤを変更できる。継続時間はシステムであらかじめ設定されており、もちろん、例えばいくつかのプログラムの継続時間統計に基づいて望ましい場合には、１時間以外の値が設定される。ドラマ又はバラエティ番組のような定時番組は、少なくとも米国及びシンガポールでは、一般に１時間又は１時間半である。
【００１５】
新たなタイマーが設定されるとき、図５ｂに示されるようなタイマー設定スクリーンは、初期設定値で穿孔される。現在のチャンネル、ここではチャンネル０１が使用され、現行システムの時間、例えば１３：５６が初期開始時刻ＳＴＤに使用され、現在の時間に１時間足した時間、ここでは１４：５６が停止時刻ＥＴＤとして使用される。そして本発明による方法を用いて、装置がいくつかの更なる機能を提供する。その機能は、新たなタイマーを設定する間にいくつかの利便性をもたらす。それは、ユーザーが開始時刻ＳＴＩの４つの数を入力した後に、終了時刻ＥＴＣを、あらかじめ固定された時間、つまり実際の開始時刻ＳＴＤより遅い所定の継続時間ＰＤに自動的に設定することに関するものであり、それにより自動的に設定された終了時刻ＥＴＣがユーザーの必要に合っている場合、ユーザーは終了時刻ＥＴを設定する必要がない。もちろん、好ましい終了時刻、ＥＴ、を設定することはいまだ可能であり、従って計算された終了時刻を無効にすることも可能である。タイマーの回数に左右されて、あらかじめ固定された時間ＰＤは、１回のタイマーにつき１２０分であり、この事象は映画である可能性が最も高い。そして別の回数ではタイマーにつき６０分であり、この継続時間は状況コメディ、バラエティ番組などに適している。情報処理能力がありすぎるようにしないために、これは新たなタイマーに適用できるだけであり、変更したタイマーには適用されない。さらに、通常終了時刻は１回に限り自動的に設定される。それは、ユーザーがＳＴＤから別のボタンにナビゲートせずに、開始時刻ボタンＳＴＤを強調して、繰り返し完全な開始時刻ＳＴＩを入力する又は繰り返しａｍ／ｐｍを切換える場合に限り、利用できる場合には、終了時刻ＥＴＤは開始時刻ＳＴＤ及び回数に応じて自動的に更新される。
【００１６】
ここに、本発明による方法のいくつかの適用例がある。図５ｃから図５ｅは、第１の例を示している。初期設定により、回数は１回、つまり単事象記録である。それ故、ユーザーが新しいタイマーを開始するとき、初期終了時刻ＥＴＤは開始時刻ＳＴＤよりＰＤ＝１２０分遅い。ここで、現在の時間は０８：２０であり、従ってＳＴＤ＝０８：２０及びＥＴＤ＝１０：２０である。チャンネルはチャンネル０１である。これから、ユーザーは曜日ボタンに移動し、図５ｄからわかるように、Ｄ０（単一日）からＤ０−Ｄ５、すなわち現在の曜日が月曜日である場合は月曜日から金曜日までと回数を変更する。開始時刻ＳＴＤ又は停止時刻ＥＴＤ上の変更は、このステージでは行われない。さて、図５ｅからわかるように、ユーザーは開始時刻として１０：００を入力し、ＰＤ２＝６０分が重複事象に使用されるので、終了時刻は自動的に１１：００に更新される。開始時刻ボタンをそのままにしておかないと、開始時刻領域が残されないので、ユーザーはａｍからｐｍへ切換え、終了時刻は１１：００ｐｍにも更新される（図示せず）。さらに、開始時刻ボタンをそのままにしておかないと、ユーザーは開始時刻を０２：００ａｍに変更し、終了時刻は自動的に０３：００ａｍ（図示なし）に更新される。
【００１７】
ユーザーが、おそらく回数を変更するために開始時刻ボタンから離れてナビゲートする場合、開始時刻ＳＴＤの設定のために戻る、又は停止時刻ＥＴＤのところに行き、停止時刻ＥＴＤを変更し、開始時刻ＳＴＤを設定するために戻る。どちらの状況下でも、終了時刻ＥＴＤは再び自動的に更新はされない。上述のナビゲーションコマンドは、さらなる自動更新が望まれないことを示す第２の型のコマンドに属するからである。しかし、ユーザーが自分の好ましいコマンドを入力することはできる。
【００１８】
図５ｃから図５ｅは第２の例を示している。初期設定により、回数は１回、つまり単事象記録である。それ故、ユーザーが新たなタイマーを開始するとき、初期終了時刻ＥＴＤは開始時刻ＳＴＤよりＰＤ＝１２０分遅い。ここで、現在の時間は０８：２０であり、従ってＳＴＤ＝０８：２０及びＥＴＤ＝１０：２０である。チャンネルはチャンネル０１である。これからユーザーは曜日ボタンに移動し、図５ｄからわかるように、Ｄ０（単一日）からＤ０−Ｄ５つまり月曜日−金曜日までと回数を変更する。開始時刻ＳＴＤ又は停止時刻ＥＴＤ上の変更はこのステージでは行われない。さて、図５ｅからわかるように、ユーザーは開始時刻として１０：００を入力し、ＰＤ２＝６０分が重複事象に使用されるので、停止時刻が１１：００に自動的に更新される。それからユーザーは開始時刻ボタンから離れてナビゲートし、再び開始時刻ボタンに戻ってくる場合、終了時刻は自動的に更新されず、図５ｅのようにとどまる。ナビゲーションコマンドが、さらなる更新が望まれない表示としてとられるからである。
【００１９】
図６は、リムーバブルメディア５の内容を図式で示している。第１のメモリ領域はボリューム識別ＶＩＤを含み、第２のメモリ領域はファイル構造６を含み、第３のメモリ領域はいくつかのファイル７１が保存されるデータ領域７である。
【００２０】
図７は、記録媒体８のメニュー１０を示し、そのメニューはディスプレイ２上に表示される。一定のメニュー領域２１、２２、２３、２４は異なる場面ＳＣ１、ＳＣ２、ＳＣ３、ＳＣ４の表示を示すために提供される。図では、１つの場面ＳＣ４が二重縁で強調され、これがユーザーがナビゲートした場面であることを表示する。
【００２１】
本発明による方法は、終了時刻を計算するために開始時刻に加えられる固定継続時間という点に関して、既知の解決策よりも柔軟性がある。本発明による固定継続時間は少し異なり、回数に基づいたたいていの可能な値が、さらには国及びチャンネルが考慮される。従来技術の解決策は、最初の試みの際に、現在の時計の時刻に基づいて固定継続時間を進めるだけであり、それは通常ユーザーが欲する本当の開始時刻及び停止時刻ではない。そのためその結果生じた開始タイマーの調節が通常必要とされる。この場合、開始タイマーは柔軟性を失い、そのため時間を設定するのに長い時間がかかる手動でのタイマーの設定の課題を本当に解決はできない。
【００２２】
ユーザーが望む開始時刻から様々な固定継続時間を進めることにより終了時刻を設定する本発明の方法は、手動でのタイマーの設定の柔軟性と利便性を真に提供する。タイマーの入力ごとに、タイマーの設定を容易にする初期値を有するが、各入力はまた手動で及び直接入力するという柔軟性も有する。時として数を直接入力することは、従来技術で使用された「＋」／「−」キーを使用するより便利である。
【図面の簡単な説明】
【００２３】
【図１】本発明の装置の概略図である。
【図２】本発明のタイマープログラミング方法である。
【図３】タイマープログラミング方法の詳細である。
【図４】記録タイマープログラミングのセットアップである。
【図５】タイマープログラミングの間の異なる表示である。
【図６】リムーバブルメディアの内容である。
【図７】メニュー
【符号の説明】
【００２４】
１  映像記録装置
２  再生信号
４  外部リムーバブルメディアデバイス
５  リムーバブルメディア
６  ファイル構造
７  データ領域
８  記録媒体としてのディスク
９  メモリ
１０  メニュー
２１、２２、２３、２４  メニュー領域
７１  ファイル
【図１】
2005003683.tif 000003
【図２】
2005003683.tif 000004
【図３】
2005003683.tif 000005
【図４】
2005003683.tif 000006
【図５】
2005003683.tif 000007
【図６】
2005003683.tif 000008
【図７】
2005003683.tif 000009
【外国語明細書】
2005003683.tif 000010
2005003683.tif 000011
2005003683.tif 000012
2005003683.tif 000013
2005003683.tif 000014
2005003683.tif 000015
2005003683.tif 000016
2005003683.tif 000017
2005003683.tif 000018
2005003683.tif 000019
2005003683.tif 000020
2005003683.tif 000021
2005003683.tif 000022
2005003683.tif 000023
2005003683.tif 000024
2005003683.tif 000025
2005003683.tif 000026